(57)【要約】【課題】隣接データ中継装置間（例えば、他のノードを挿むことなく隣接して接続されたノード間）の伝送路について通信帯域を正確に管理することができ、伝送路ごとに最適な通信帯域を設定することを課題とする。【解決手段】帯域管理装置は、ＶＬＡＮ設定情報を管理者などから受け付けると、ＶＬＡＮ情報に基づいて隣接ノード間（ＲＰＲスパン）ごとに通信帯域（ＲＰＲパス用帯域）を算出する。隣接ノード間の伝送路ごとにＲＰＲパス用帯域を算出した後、算出された各ＲＰＲパス用帯域を隣接ノード間の伝送路のＲＰＲパス用帯域として各々設定する。【選択図】        図２
2008167070.tif 000002
【特許請求の範囲】
【請求項１】
リングネットワークにおけるデータ中継装置間の伝送路の通信帯域を管理する帯域管理装置であって、
前記データ中継装置を含むように設定された仮想ネットワークごとに、前記伝送路に対して設定された通信帯域の情報を記憶する仮想ネットワーク管理情報記憶手段と、
前記仮想ネットワーク管理情報記憶手段により記憶されている情報に基づいて、他のデータ中継装置を挿むことなく隣接して接続された隣接データ中継装置間の伝送路ごとに通信帯域を算出する通信帯域算出手段と、
前記通信帯域算出手段により算出された各通信帯域を前記隣接データ中継装置間の伝送路の通信帯域として各々設定する通信帯域設定手段と、
を備えたことを特徴とする帯域管理装置。
【請求項２】
前記リングネットワークは、第一の通信方式に基づいて設定される第一の伝送路と、第二の通信方式に基づいて前記データ中継装置間に設定される第二の伝送路とで同一の物理帯域を分け合って構成され、
前記通信帯域算出手段は、前記隣接データ中継装置間の伝送路ごとに算出した通信帯域の情報に基づいて、前記物理帯域における空き帯域を算出し、
前記通信帯域設定手段は、前記通信帯域算出手段により算出された前記空き帯域に対して、前記第一の伝送路の通信帯域を設定することを特徴とする請求項１に記載の帯域管理装置。
【請求項３】
前記第二の伝送路には、現用系の通信帯域が設定されるとともに予備系の通信帯域が設定され、
前記予備系の通信帯域を設定するか否かに関わる予備帯域設定情報を記憶する予備帯域設定情報記憶手段をさらに備え、
前記通信帯域算出手段は、前記予備帯域設定情報記憶手段により記憶されている前記予備帯域設定情報と、前記仮想ネットワーク管理情報記憶手段により記憶されている前記通信帯域の情報とに基づいて、前記隣接データ中継装置間の伝送路ごとに、現用系および予備系を加算して前記伝送路の通信帯域を算出することを特徴とする請求項２に記載の帯域管理装置。
【請求項４】
前記通信帯域算出手段は、前記仮想ネットワーク管理情報記憶手段により記憶されている情報が更新された場合に、前記隣接データ中継装置間の伝送路ごとに通信帯域を改めて算出し、
前記通信帯域設定手段は、前記通信帯域算出手段により改めて算出された各通信帯域を前記隣接データ中継装置間の伝送路の通信帯域として改めて各々設定することを特徴とする請求項１に記載の帯域管理装置。
【請求項５】
リングネットワークにおけるデータ中継装置間の伝送路の通信帯域を管理する帯域管理方法であって、
前記データ中継装置を含むように設定された仮想ネットワークごとに、前記伝送路に対して設定された通信帯域の情報を記憶部に記憶する仮想ネットワーク管理情報記憶工程と、
前記仮想ネットワーク管理情報記憶工程により記憶部に記憶されている情報に基づいて、他のデータ中継装置を挿むことなく隣接して接続された隣接データ中継装置間の伝送路ごとに通信帯域を算出する通信帯域算出工程と、
前記通信帯域算出工程により算出された各通信帯域を前記隣接データ中継装置間の伝送路の通信帯域として各々設定する通信帯域設定工程と、
を含んだことを特徴とする帯域管理方法。
【発明の詳細な説明】
【技術分野】
【０００１】
この発明は、リングネットワークにおけるデータ中継装置間の伝送路の通信帯域を管理する帯域管理装置および帯域管理方法に関する。
【背景技術】
【０００２】
従来、ＳＯＮＥＴ（Ｓｙｎｃｈｒｏｎｏｕｓ  Ｏｐｔｉｃａｌ  Ｎｅｔｗｏｒｋ）／ＳＤＨ（Ｓｙｎｃｈｒｏｎｏｕｓ  Ｄｉｇｉｔａｌ  Ｈｉｅｒａｒｃｈｙ）パス（伝送路）と、ＳＯＮＥＴ／ＳＤＨを物理レイヤとするＲＰＲ（Ｒｅｓｉｌｉｅｎｔ  Ｐａｃｋｅｔ  Ｒｉｎｇ）パスとで同一物理帯域を分け合って構成されるリングネットワークにおいて、各伝送路の帯域を管理する技術が存在する。
【０００３】
仮に、上記のようなリングネットワークにおいて、ＳＯＮＥＴ／ＳＤＨでプロテクション構成をとる場合には、リング全体でＳＯＮＥＴ／ＳＤＨパスと同一で固定的な予備帯域を確保し、ＳＯＮＥＴ／ＳＤＨを物理レイヤとするＲＰＲパスについては、反対方向に回転する２つのオプティカルリングで構成し、双方向について同一のＳＯＮＥＴ／ＳＤＨ帯域を確保するとともに、ベストエフォート帯域や保証帯域をあらかじめ固定的に設定するのが一般的である。そして、各ＲＰＲ装置（パス間に設置されるノード）から流入されるＣＩＲ（Ｃｏｍｍｉｔｔｅｄ  Ｉｎｆｏｒｍａｔｉｏｎ  Ｒａｔｅ）の総和が、物理的なＳＯＮＥＴ／ＳＤＨの帯域を超過しないようにＲＰＲリングの帯域全体を増減調整して、各伝送路の帯域を管理する。
【０００４】
また、特許文献１では、パス間に設置された通信ノードにおけるＣＩＲの設定状況を収集するとともに監視して、通信ノードから収集したＣＩＲの総和が物理的なＳＯＮＥＴ／ＳＤＨの帯域を超過しないように管理するＲＰＲネットワークシステムが開示されている。
【特許文献１】特開２００６−２６１８２５号公報
【発明の開示】
【発明が解決しようとする課題】
【０００５】
しかしながら、上記した従来の技術は、伝送路の物理帯域を効率的に活用することができないという問題点があった。すなわち、ＳＯＮＥＴ／ＳＤＨでプロテクション構成をとる場合には、リング全体でＳＯＮＥＴ／ＳＤＨパスと同一で固定的な予備帯域を確保するとともに、ＲＰＲパスにおいても、ベストエフォート帯域や保証帯域をあらかじめ固定的に設定するため、伝送路の物理帯域を効率的に活用することができないという問題点があった。
【０００６】
そこで、本発明は、上述した従来技術の課題を解決するためになされたものであり、隣接データ中継装置間（例えば、他の通信ノード装置を挿むことなく隣接して接続された通信ノード装置間）の伝送路について通信帯域を正確に管理することができ、伝送路ごとに最適な通信帯域を設定することが可能であるとともに、伝送路の物理帯域を効率的に活用することが可能な帯域管理装置および帯域管理方法を提供することを目的とする。
【課題を解決するための手段】
【０００７】
上述した課題を解決し、目的を達成するため、請求項１に係る発明は、リングネットワークにおけるデータ中継装置間の伝送路の通信帯域を管理する帯域管理装置であって、前記データ中継装置を含むように設定された仮想ネットワークごとに、前記伝送路に対して設定された通信帯域の情報を記憶する仮想ネットワーク管理情報記憶手段と、前記仮想ネットワーク管理情報記憶手段により記憶されている情報に基づいて、他のデータ中継装置を挿むことなく隣接して接続された隣接データ中継装置間の伝送路ごとに通信帯域を算出する通信帯域算出手段と、前記通信帯域算出手段により算出された各通信帯域を前記隣接データ中継装置間の伝送路の通信帯域として各々設定する通信帯域設定手段と、を備えたことを特徴とする。
【０００８】
また、請求項２に係る発明は、上記の発明において、前記リングネットワークは、第一の通信方式に基づいて設定される第一の伝送路と、第二の通信方式に基づいて前記データ中継装置間に設定される第二の伝送路とで同一の物理帯域を分け合って構成され、前記通信帯域算出手段は、前記隣接データ中継装置間の伝送路ごとに算出した通信帯域の情報に基づいて、前記物理帯域における空き帯域を算出し、前記通信帯域設定手段は、前記通信帯域算出手段により算出された前記空き帯域に対して、前記第一の伝送路の通信帯域を設定することを特徴とする。
【０００９】
また、請求項３に係る発明は、上記の発明において、前記第二の伝送路には、現用系の通信帯域が設定されるとともに予備系の通信帯域が設定され、前記予備系の通信帯域を設定するか否かに関わる予備帯域設定情報を記憶する予備帯域設定情報記憶手段をさらに備え、前記通信帯域算出手段は、前記予備帯域設定情報記憶手段により記憶されている前記予備帯域設定情報と、前記仮想ネットワーク管理情報記憶手段により記憶されている前記通信帯域の情報とに基づいて、前記隣接データ中継装置間の伝送路ごとに、現用系および予備系を加算して前記伝送路の通信帯域を算出することを特徴とする。
【００１０】
また、請求項４に係る発明は、上記の発明において、前記通信帯域算出手段は、前記仮想ネットワーク管理情報記憶手段により記憶されている情報が更新された場合に、前記隣接データ中継装置間の伝送路ごとに通信帯域を改めて算出し、前記通信帯域設定手段は、前記通信帯域算出手段により改めて算出された各通信帯域を前記隣接データ中継装置間の伝送路の通信帯域として改めて各々設定することを特徴とする。
【００１１】
また、請求項５に係る発明は、リングネットワークにおけるデータ中継装置間の伝送路の通信帯域を管理する帯域管理方法であって、前記データ中継装置を含むように設定された仮想ネットワークごとに、前記伝送路に対して設定された通信帯域の情報を記憶部に記憶する仮想ネットワーク管理情報記憶工程と、前記仮想ネットワーク管理情報記憶工程により記憶部に記憶されている情報に基づいて、他のデータ中継装置を挿むことなく隣接して接続された隣接データ中継装置間の伝送路ごとに通信帯域を算出する通信帯域算出工程と、前記通信帯域算出工程により算出された各通信帯域を前記隣接データ中継装置間の伝送路の通信帯域として各々設定する通信帯域設定工程と、を含んだことを特徴とする。
【発明の効果】
【００１２】
本発明によれば、リングネットワークにおけるデータ中継装置間の伝送路の通信帯域を管理する場合に、データ中継装置を含むように設定された仮想ネットワークごとに、データ中継装置間の伝送路に対する通信帯域の情報を記憶しておき、記憶されている通信帯域の情報に基づいて、他のデータ中継装置を挿むことなく隣接して接続された隣接データ中継装置間の伝送路ごとに通信帯域を算出するとともに、隣接データ中継装置間の伝送路ごとに算出された通信帯域を、隣接データ中継装置間に設置された伝送路の通信帯域として各々設定するので、隣接データ中継装置間（例えば、他の通信ノード装置を挿むことなく隣接して接続された通信ノード装置間）の伝送路について通信帯域を正確に管理することができ、伝送路ごとに最適な通信帯域を設定することが可能である。また、隣接データ中継装置間に最適な通信帯域を設定することができる結果、伝送路の物理帯域を効率的に活用することが可能である。
【００１３】
また、本発明によれば、リングネットワークにおける伝送路の物理帯域の情報を予め記憶しておき、隣接データ中継装置間の伝送路ごとに算出した通信帯域の情報に基づいて、物理帯域における空き帯域を算出するとともに、算出された空き帯域に対して第一の伝送路の通信帯域を設定するので、第一の通信方式に基づいて設定される第一の伝送路と、第二の通信方式に基づいてデータ中継装置間に設定される第二の伝送路とで同一の物理帯域を分け合ってリングネットワークが構成される場合に、リングネットワークが第一の通信方式（例えば、ＳＯＮＥＴ／ＳＤＨ）に基づいて設定される第一の伝送路（ＳＯＮＥＴ／ＳＤＨパス）と、第二の通信方式（例えば、ＲＰＲ）に基づいて前記データ中継装置間に設定される第二の伝送路（ＲＰＲパス）とで同一の物理帯域を分け合って構成される場合において、例えば、伝送路の物理帯域における空き帯域にＳＯＮＥＴ／ＳＤＨパスの通信帯域を設定するなどして、空き帯域を効率的に利用することが可能である。
【００１４】
また、本発明によれば、第二の伝送路（ＲＰＲパス）について予備系の通信帯域を設定するか否かに関わる予備帯域設定情報を記憶しておき、記憶されている予備帯域設定情報に基づいて、第二の伝送路に予備系の通信帯域が設定されるものと判定された場合には、記憶されている通信帯域の情報に基づいて、現用系および予備系を加算して伝送路の通信帯域を算出するので、第二の伝送路には現用系の通信帯域が設定されるとともに予備系の通信帯域が設定される場合に、隣接データ中継装置間の伝送路について予備系の通信帯域を含めてより正確に算出することができ、伝送路ごとにより最適な通信帯域を設定することが可能である。また、隣接データ中継装置間により最適な通信帯域を設定することができる結果、伝送路の物理帯域をより効率的に活用することが可能である。
【００１５】
また、本発明によれば、記憶されている仮想ネットワークに関する情報が更新された場合には、隣接データ中継装置間の伝送路ごとに通信帯域を改めて算出するとともに、改めて算出された各通信帯域を隣接データ中継装置間の伝送路の通信帯域として改めて各々設定するので、例えば、伝送路を流れるパケットデータの通信帯域の増加や減少に応じて通信帯域の設定が更新された場合に、隣接データ中継装置間（例えば、他の通信ノード装置を挿むことなく隣接して接続された通信ノード装置間）の各通信帯域を再計算して、伝送路ごとに設定することができる結果、伝送路の物理帯域を効率的に活用することが可能である。
【００１６】
また、本発明によれば、リングネットワークがデータ中継装置を介して上位リングネットワークと接続される場合に、上位リングネットワークとの接続装置として機能するデータ中継装置を識別するための接続装置情報を記憶しておき、記憶されている接続装置情報に基づいて、隣接データ中継装置間の伝送路の通信帯域におけるデータ通信を制御するので、リングネットワークがセンタノードを介して上位リングネットワークと接続されるサブテンディングリング構成をとる場合に、仮想ネットワークごとに設定したパケットデータの送受信ノードを変更することなく、センタノード情報に基づいて、隣接データ中継装置間の伝送路に設定された通信帯域におけるパケットデータ通信を簡易に制御することが可能である。
【００１７】
また、本発明によれば、リングネットワークがデータ中継装置を介して他のリングネットワークと接続される場合に、リングネットワークを互いに接続するデータ中継装置を識別するための情報を記憶するとともに、リングネットワーク間をまたいで設定された仮想ネットワークごとに伝送路に対して設定された通信帯域の情報を記憶し、リングネットワークを互いに接続するデータ中継装置を識別するための情報を記憶しておき、記憶されている通信帯域の情報およびリングネットワークを互いに接続するデータ中継装置を識別するための情報に基づいて、リングネットワーク間をデータ中継装置で接続することにより、リングネットワーク間にまたがる伝送路について隣接データ中継装置間の通信帯域を各々算出するので、リングネットワークがマルチリング構成をとる場合であっても、隣接データ中継装置間の伝送路について通信帯域を正確に算出することができ、伝送路ごとに最適な通信帯域を設定することが可能である。また、隣接データ中継装置間に最適な通信帯域を設定することができる結果、伝送路の物理帯域を効率的に活用することが可能である。
【発明を実施するための最良の形態】
【００１８】
以下に添付図面を参照して、本発明に係る帯域管理装置および帯域管理方法の実施例を詳細に説明する。なお、以下では、本発明に係る帯域管理装置を実施例１として説明した後に、本発明に含まれる他の実施例を説明する。
【００１９】
［用語の説明］
まず最初に、本実施例で用いる主要な用語を説明する。本実施例で用いる「ＳＯＮＥＴ（Ｓｙｎｃｈｒｏｎｏｕｓ  Ｏｐｔｉｃａｌ  Ｎｅｔｗｏｒｋ）／ＳＤＨ（Ｓｙｎｃｈｒｏｎｏｕｓ  Ｄｉｇｉｔａｌ  Ｈｉｅｒａｒｃｈｙ）」とは、光ファイバを用いた高速デジタル通信方式の一つであり、「ＳＯＮＥＴ／ＳＤＨ  パス」とは、この通信方式に基づいて設定された伝送路のことである。
【００２０】
また、本実施例で用いる「ＲＰＲ」とは、国際標準化機構（ＩＳＯ）により制定された異機種間のデータ通信を実現するためのネットワーク構造設計方針であるＯＳＩ参照モデルの第２層（レイヤ２）レベルで動作するＭＡＣ（Ｍｅｄｉａ  Ａｃｃｅｓｓ  Ｃｏｎｔｒｏｌ）プロトコルであり、「ＲＰＲパス」とは、ＲＰＲに基づいて設定された伝送路のことである。
【実施例１】
【００２１】
以下の実施例１では、実施例１に係る帯域管理装置の概要および特徴、帯域管理装置の構成および処理を順に説明し、最後に実施例１による効果を説明する。
【００２２】
［帯域管理装置の概要および特徴（実施例１）］
まず、図１〜図４を用いて、実施例１に係る帯域管理装置の概要および特徴を説明する。図１は、実施例１に係る帯域管理装置の概要および特徴を説明するための図である。図２は、実施例１の概要および特徴を説明するための図である。図３は、実施例１に係るＶＬＡＮ管理ＤＢの構成例を示す図である。図４は、実施例１に係るＲＰＲパス用帯域の算出例を示す図である。
【００２３】
実施例１に係る帯域管理装置は、リングネットワークにおけるデータ中継装置（ノード）間の伝送路の通信帯域を管理することを概要とするが、隣接データ中継装置間（例えば、他のノードを挿むことなく隣接して接続されたノード間）の伝送路について通信帯域を正確に管理することができ、伝送路ごとに最適な通信帯域を設定することが可能である点に主たる特徴がある。
【００２４】
この主たる特徴について具体的に説明すると、図１に示すように、実施例１に係る帯域管理装置は、リングネットワークにおいて、ＳＯＮＥＴ／ＳＤＨを物理レイヤとするとともに、ＲＰＲに基づいてノード間に設定されるＲＰＲパス帯域を管理するため、ノード情報管理ＤＢ、ＶＬＡＮ管理ＤＢおよびＲＰＲスパン帯域管理ＤＢをあらかじめ備える。
【００２５】
ノード情報管理ＤＢは、リングネットワークの登録時に設定された各ノードにおけるパケット送信方向を記憶して構成される。具体的には、リングネットワーク上にデータ中継装置として配置された各ノード（例えば、Ｓ１〜Ｓ６）を特定するノードＩＤ（ノード番号）ごとに、他のノードに対するパケットデータの送信方向を記憶して構成される。
【００２６】
ＶＬＡＮ管理ＤＢは、管理者などから設定情報を受け付けて、リングネットワーク上に配置されたノードを含むように設定されたＶＬＡＮ（Ｖｉｒｔｕａｌ  ＬＡＮ）に関する情報を記憶して構成される。具体的には、図３に例示するように、ＶＬＡＮを特定するためのＩＤごとに、パケットデータの送信元である送信ＲＰＲノード番号と、パケットデータを送信するための伝送路の送信帯域と、パケットデータを送信するためのＲＰＲ帯域の種別（保証帯域あるいはベストエフォート帯域）と、パケットデータの受信先である受信ＲＰＲノード番号とを記憶して構成される。
【００２７】
ＲＰＲスパン管理情報ＤＢは、各ノード間（ＲＰＲスパン）の伝送路に設定されたＲＰＲパス帯域などの各帯域を記憶して構成される。具体的には、ノード番号からなるＲＰＲスパン（例えば、Ｓ１〜Ｓ２など）ごとに、物理帯域やＲＰＲパス帯域、物理帯域における空き帯域などを記憶して構成される。
【００２８】
そして、帯域管理装置は、ＶＬＡＮ設定情報（図３参照）を管理者などから受け付けると、図２に例示するように、ＶＬＡＮ情報に基づいて隣接ノード間（ＲＰＲスパン）ごとに通信帯域（ＲＰＲパス用帯域）を算出する。なお、以下では、パケットデータ伝送の際に確保する帯域種別を保証とするＲＰＲ帯域については、現用側の送信帯域（現用側帯域）に問題が発生した場合に切り替えるための予備用側の送信帯域（予備側帯域）を確保する場合を例に挙げて説明する。
【００２９】
すなわち、帯域管理装置は、帯域種別を保証とするＲＰＲ帯域については、予備用側の送信帯域（予備側帯域）を確保するという情報をあらかじめ保持しており、ＶＬＡＮ管理ＤＢ（図３参照）から読み出したＶＬＡＮ情報（パケットデータの送信元である送信ＲＰＲノード番号と、パケットデータの受信先である受信ＲＰＲノード番号との間に設定されたパケットデータを送信するための伝送路の送信帯域の情報）に基づいて、隣接ノード間（すなわち、他のノードを挿むことなく隣接して接続されたノード間）の伝送路ごとにＲＰＲパス用帯域を算出する。
【００３０】
例えば、帯域管理装置は、図４に例示するように、ＶＬＡＮ管理ＤＢ（図３参照）から読み出したＶＬＡＮ情報に基づいて、ノードＳ１およびノードＳ２からなる隣接ノード間のＲＰＲパス用帯域は、現用側帯域の４００（Ｍｂｐｓ）と予備側帯域の１００（Ｍｂｐｓ）とを加算して５００（Ｍｂｐｓ）と算出する。また、帯域管理装置は、算出した各ＲＰＲパス用帯域をＲＰＲスパン帯域管理ＤＢに格納して管理する。
【００３１】
隣接ノード間の伝送路ごとにＲＰＲパス用帯域を算出した後、帯域管理装置は、算出された各ＲＰＲパス用帯域を隣接ノード間の伝送路のＲＰＲパス用帯域として各々設定する。
【００３２】
このようなことから、実施例１に係る帯域管理装置は、隣接データ中継装置間（例えば、他のノードを挿むことなく隣接して接続されたノード間）の伝送路について通信帯域を正確に管理することができ、伝送路ごとに最適な通信帯域を設定することが可能である。
【００３３】
［帯域管理装置の構成（実施例１）］
次に、図５を用いて、実施例１に係る帯域管理装置の構成を説明する。図５は、実施例１に係る帯域管理装置の構成を示すブロック図である。
【００３４】
同図に示すように、実施例１に係る帯域管理装置１０は、通信制御Ｉ／Ｆ部１１と、記憶部１２と、制御部１３とから構成される。このうち、通信制御Ｉ／Ｆ部１１は、リングネットワーク上に配置された各ノード装置との間でやり取りする各種情報に関する通信を制御する。
【００３５】
記憶部１２は、制御部１３による各種処理に必要なデータおよびプログラムを記憶する記憶部であり、特に本発明に密接に関連するものとしては、ノード情報管理ＤＢ１２ａと、ＶＬＡＮ管理ＤＢ１２ｂと、ＲＰＲスパン帯域管理ＤＢ１２ｃとを備える。
【００３６】
このうち、ノード情報管理ＤＢ１２ａは、リングネットワークの登録時に設定された各ノードにおけるパケット送信方向を記憶して構成される。具体的には、図６に例示するように、リングネットワーク上にデータ中継装置として配置された各ノード（例えば、Ｓ１〜Ｓ６）を特定するノード番号ごとに、他のノードに対するパケットデータの送信方向（例えば、時計回りであれば「Ｒｉｎｇｌｅｔ０」、反時計回りであれば「ＲＩｎｇｌｅｔ１」）を記憶して構成される。なお、現用側の送信帯域に問題が発生した場合に切り替えるための予備用側の送信帯域を確保する場合には、ノード番号ごとにプロテクション（切替）情報として「有」を記憶する。
【００３７】
ＶＬＡＮ管理ＤＢ１２ｂは、帯域管理装置１０の管理者から設定情報を受け付けて、リングネットワーク上に配置されたノードを含むように設定されたＶＬＡＮ（Ｖｉｒｔｕａｌ  ＬＡＮ）に関する情報を記憶して構成される。具体的には、図７に例示するように、ＶＬＡＮを特定するために付与するＩＤごとに、パケットデータの送信元である送信ＲＰＲノード番号（例えば、Ｓ１やＳ２など）と、パケットデータを送信するための伝送路（ＲＰＲパス）の送信帯域と、パケットデータを送信するためのＲＰＲ帯域の種別（保証あるいはベストエフォート）と、パケットデータの受信先である受信ＲＰＲノード番号（例えば、Ｓ１やＳ２など）とを記憶して構成される。なお、「保証」とは、他から送信されるデータパケットの影響を受けることなく、パケットデータの伝送するために一定の帯域（データ幅）を確保するということであり、「ベストエフォート」とは、パケットデータの伝送するために可能な限りの帯域を確保するということである。
【００３８】
ＲＰＲスパン帯域管理ＤＢ１２ｃは、各ノード間（ＲＰＲスパン）の伝送路に設定されたＲＰＲパス帯域などの各帯域を記憶して構成される。具体的には、図８に例示するように、ノード番号からなるＲＰＲスパン（例えば、Ｓ１〜Ｓ２やＳ２〜Ｓ３など）ごとに、物理帯域、物理帯域における空き帯域、ＲＰＲ保証帯域の和、ＲＰＲベストエフォート帯域の和およびＲＰＲパス帯域などを記憶して構成される。なお、実施例１では、ＳＯＮＥＴ／ＳＤＨ  ＵＰＳＲ帯域、およびＳＯＮＥＴ／ＳＤＨ  ＵＰＳＲ片側パス帯域を設定しないため各帯域は「０」となる。
【００３９】
制御部１３は、所定などの制御プログラム、各種の処理手順などを規定したプログラムおよび所要データを格納するための内部メモリを有し、これらによって種々の処理を実行する処理部であり、特に本発明に密接に関連するものとしては、通信帯域算出部１３ａおよび通信帯域設定部１３ｂを備える。
【００４０】
このうち、通信帯域算出部１３ａは、ＶＬＡＮ情報に基づいてＲＰＲパスごとに通信帯域（ＲＰＲパス用帯域）を算出する処理部である（図２参照）。以下に、種別を保証とするＲＰＲ帯域については、現用側の送信帯域（現用側帯域）に問題が発生した場合に切り替えるための予備用側の送信帯域（予備側帯域）を確保する場合を例に挙げて説明する。
【００４１】
すなわち、通信帯域算出部１３ａは、帯域種別を保証とするＲＰＲ帯域については、予備用側の送信帯域（予備側帯域）を確保するという情報をあらかじめ保持しており、ＶＬＡＮ管理ＤＢ１２ｂ（図７参照）から読み出したＶＬＡＮ情報（パケットデータの送信元である送信ＲＰＲノード番号と、パケットデータの受信先である受信ＲＰＲノード番号との間に設定されたパケットデータを送信するための伝送路の送信帯域の情報）に基づいて、隣接ノード間（すなわち、他のノードを挿むことなく隣接して接続されたノード間、ＲＰＲスパン）の伝送路ごとにＲＰＲパス用帯域を算出する。
【００４２】
例えば、通信帯域算出部１３ａは、ＶＬＡＮ管理ＤＢ１２ｂ（図７参照）から読み出したＶＬＡＮ情報に基づいて、ノードＳ１およびノードＳ２からなる隣接ノード間のＲＰＲパス用帯域は、現用側帯域の４００（Ｍｂｐｓ）と予備側帯域の１００（Ｍｂｐｓ）とを加算して５００（Ｍｂｐｓ）と算出する。
【００４３】
また、通信帯域算出部１３ａは、算出した各ＲＰＲパス用帯域をＲＰＲスパン帯域管理ＤＢ１２ｃに格納するとともに、通信帯域設定部１３ｂに出力する。
【００４４】
通信帯域設定部１３ｂは、ＲＰＲパス用帯域を設定する処理部である。具体的には、通信帯域算出部１３ａから、隣接ノード間の伝送路（ＲＰＲパス）ごとに算出されたＲＰＲパス用帯域を受け付けると、各ＲＰＲパス用帯域を隣接ノード間の伝送路のＲＰＲパス用帯域として各々設定する。
【００４５】
また、通信帯域設定部１３ｂは、例えば、帯域管理装置１０の管理者から、通信制御Ｉ／Ｆ部１１を介してＶＬＡＮ設定情報を受け付けると、そのＶＬＡＮ設定情報をＶＬＡＮ管理ＤＢ１２ｂに格納する。
【００４６】
［帯域管理装置の処理（実施例１）］
続いて、図９を用いて、実施例１に係る帯域管理装置の処理を説明する。図９は、実施例１に係る帯域管理装置の処理の流れを示すフローチャートである。
【００４７】
例えば、帯域管理装置１０の管理者から、通信制御Ｉ／Ｆ部１１を介してＶＬＡＮ設定情報を受け付けると（ステップＳ９０１）、通信帯域設定部１３ｂは、そのＶＬＡＮ設定情報をＶＬＡＮ管理ＤＢ１２ｂに格納する。また、通信帯域算出部１３ａは、ＶＬＡＮ情報からＲＰＲパスごとに通信帯域（ＲＰＲパス用帯域）を算出する（ステップＳ９０２）。
【００４８】
具体的に説明すると、通信帯域算出部１３ａは、帯域種別を保証とするＲＰＲ帯域については、予備用側の送信帯域（予備側帯域）を確保するという情報をあらかじめ保持しており、ＶＬＡＮ管理ＤＢ１２ｂ（図７参照）から読み出したＶＬＡＮ情報（パケットデータの送信元である送信ＲＰＲノード番号と、パケットデータの受信先である受信ＲＰＲノード番号との間に設定されたパケットデータを送信するための伝送路の送信帯域の情報）に基づいて、隣接ノード間（すなわち、他のノードを挿むことなく隣接して接続されたノード間、ＲＰＲスパン）の伝送路ごとにＲＰＲパス用帯域を算出する。例えば、ＶＬＡＮ管理ＤＢ１２ｂから読み出したＶＬＡＮ情報に基づいて、ノードＳ１およびノードＳ２からなる隣接ノード間のＲＰＲパス用帯域を、現用側帯域の４００（Ｍｂｐｓ）と予備側帯域の１００（Ｍｂｐｓ）とを加算して５００（Ｍｂｐｓ）と算出する。
【００４９】
隣接ノード間の伝送路（ＲＰＲパス）ごとにＲＰＲパス用帯域を算出した後、通信帯域算出部１３ａは、算出した各ＲＰＲパス用帯域をＲＰＲスパン帯域管理ＤＢ１２ｃに格納するとともに、通信帯域設定部１３ｂに出力する。
【００５０】
そして、通信帯域設定部１３ｂは、ＲＰＲパス用帯域を設定する（ステップＳ９０３）。具体的には、通信帯域算出部１３ａから、隣接ノード間の伝送路（ＲＰＲパス）ごとに算出されたＲＰＲパス用帯域を受け付けると、各ＲＰＲパス用帯域を隣接ノード間の伝送路のＲＰＲパス用帯域として各々設定する。
【００５１】
［実施例１の効果］
上述してきたように、実施例１によれば、ＳＯＮＥＴ／ＳＤＨを物理レイヤとして、ＲＰＲに基づいてノード間に設定されるリングネットワークのＲＰＲパス帯域を管理する場合に、ノードを含むように設定されたＶＬＡＮごとに、ノード間の伝送路に対する通信帯域の情報（ＶＬＡＮ情報）を記憶しておき、記憶されている通信帯域の情報（ＶＬＡＮ情報）に基づいて、他のノードを挿むことなく隣接して接続された隣接ノード間の伝送路ごとに通信帯域を算出するとともに、隣接ノード間に設置された伝送路の通信帯域として各々設定するので、隣接ノード間（例えば、他のノード装置を挿むことなく隣接して接続されたノード間、ＲＰＲスパン）の伝送路について通信帯域を正確に管理することができ、伝送路ごとに最適な通信帯域を設定することが可能である。また、隣接データ中継装置間に最適な通信帯域を設定することができる結果、伝送路の物理帯域を効率的に活用することが可能である。
【００５２】
また、実施例１によれば、ＲＰＲパスについて予備系の通信帯域を設定するか否かに関わる予備帯域設定情報を記憶しておき、記憶されている予備帯域設定情報と通信帯域の情報（ＶＬＡＮ情報）に基づいて、隣接ノード間ごとに、現用系および予備系を加算して伝送路の通信帯域を算出するので、ＲＰＲパスには現用系の通信帯域が設定されるとともに予備系の通信帯域が設定される場合に、隣接ノード間の伝送路について予備系の通信帯域を含めてより正確に算出することができ、伝送路ごとにより最適な通信帯域を設定することが可能である。また、隣接ノード間により最適な通信帯域を設定することができる結果、伝送路の物理帯域をより効率的に活用することが可能である。
【実施例２】
【００５３】
上記の実施例１では、ＳＯＮＥＴ／ＳＤＨを物理レイヤとしてＲＰＲパスを設定したリングネットワークについて、管理者などから受け付けたＶＬＡＮ設定情報からＲＰＲパス帯域を算出して設定する場合を説明したが、本発明はこれに限定されるものではなく、物理帯域における空き帯域をさらに算出して、空き帯域にＳＯＮＥＴ／ＳＤＨに基づいた伝送路を設定するようにしてもよい。そこで、以下の実施例２では、実施例２に係る帯域管理装置の概要および特徴、帯域管理装置の構成および処理を順に説明し、最後に実施例２による効果を説明する。
【００５４】
［帯域管理装置の概要および特徴（実施例１）］
まず、図１０〜図１４を用いて、実施例２に係る帯域管理装置の概要および特徴を説明する。図１０は、実施例２の概要および特徴を説明するための図である。図１１は、実施例２の特徴を示す概念図である。図１２は、実施例２に係るノード情報管理ＤＢの構成例を示す図である。図１３は、実施例２に係るＶＬＡＮ管理ＤＢの構成例を示す図である。図１４は、実施例２に係るＲＰＲスパン帯域管理ＤＢの構成例を示す図である。
【００５５】
実施例２に係る帯域管理装置は、上記の実施例１と同様に、リングネットワークにおけるデータ中継装置（ノード）間の伝送路の通信帯域を管理することを概要とするが、伝送路の物理帯域における空き帯域を効率的に利用することが可能である点に主たる特徴がある。
【００５６】
この主たる特徴について具体的に説明すると、実施例２に係る帯域管理装置は、実施例１に係る帯域管理装置と同様に、ノード情報管理ＤＢ、ＶＬＡＮ管理ＤＢおよびＲＰＲスパン帯域管理ＤＢをあらかじめ備える。
【００５７】
ノード情報管理ＤＢは、実施例１と同様に、リングネットワークの登録時に設定された各ノードにおけるパケット送信方向を記憶して構成される（図１２参照）。また、ＶＬＡＮ管理ＤＢも、実施例１と同様に、管理者などから設定情報を受け付けて、リングネットワーク上に配置されたノードを含むように設定されたＶＬＡＮ（Ｖｉｒｔｕａｌ  ＬＡＮ）に関する情報を記憶して構成される（図１３参照）。
【００５８】
ＲＰＲスパン管理情報ＤＢは、実施例１と同様に、各ノード間（ＲＰＲスパン）の伝送路に設定されたＲＰＲパス帯域などの各帯域を記憶して構成されるが、ノード番号からなるＲＰＲスパン（例えば、Ｓ１〜Ｓ２など）ごとに、物理帯域やＲＰＲパス帯域、物理帯域における空き帯域だけでなく、ＳＯＮＥＴ／ＳＤＨ・ＵＰＳＲ帯域やＳＯＮＥＴ／ＳＤＨ・片側パス帯域を記憶して構成される（図１４参照）。
【００５９】
ここで、ＳＯＮＥＴ／ＳＤＨ・ＵＰＳＲ（Ｕｎｉｄｉｒｅｃｔｉｏｎａｌ  Ｐａｔｈ  Ｓｗｉｔｃｈｅｄ  Ｒｉｎｇ）帯域とは、現用側の伝送路に障害が発生した場合に予備側の伝送路に切り替える方式（ＵＰＳＲ）を採用することにより、ＳＯＮＥＴ／ＳＤＨに基づいて、現用側および予備用側の伝送路（ＳＯＮＥＴパス）に設定した通信帯域である。また、ＳＯＮＥＴ／ＳＤＨ・片側パス帯域とは、ＵＰＳＲを採用することなく、ＳＯＮＥＴ／ＳＤＨに基づいて現用側の伝送路のみ（ＳＯＮＥＴ予備開放系パス）に設定した通信帯域である。
【００６０】
そして、実施例２に係る帯域管理装置は、実施例１において説明したのと同様に、図１０に示すように、ＶＬＡＮ情報に基づいてＲＰＲパスごとに通信帯域（ＲＰＲパス用帯域）を算出した後、伝送路の物理帯域における空き帯域を算出する。具体的には、隣接ノード間（すなわち、他のノードを挿むことなく隣接して接続されたノード間、ＲＲＰスパン）の伝送路ごとに、ＲＰＲスパン帯域管理ＤＢから読み出した伝送路の物理帯域とＲＰＲパス用帯域との差を取ることにより、伝送路の物理帯域における空き帯域を算出する。
【００６１】
例えば、ＲＰＲスパン帯域管理ＤＢから読み出したノードＳ１およびノードＳ２からなる隣接ノード間の物理帯域が２．５（Ｇｂｐｓ）で、この隣接ノード間のＲＰＲパス帯域が５００（Ｍｂｐｓ）である場合には、伝送路の物理帯域における空き帯域は２．０（Ｇｂｐｓ）となる。
【００６２】
そして、実施例２に係る帯域管理装置は、図１１に例示するように、算出した伝送路の空き帯域に対してＳＯＮＥＴ／ＳＤＨ・ＵＰＳＲ（ＳＯＮＥＴパス）や、ＳＯＮＥＴ／ＳＤＨ・片側パス（ＳＯＮＥＴ予備系開放パス）の帯域を設定する。伝送路の空き帯域を効率的に利用する趣旨である。
【００６３】
例えば、ノードＳ１およびノードＳ２からなる隣接ノード間の空き帯域が２．０（Ｇｂｐｓ）である場合に、伝送路の空き帯域に対してＳＯＮＥＴ／ＳＤＨ・ＵＰＳＲおよびＳＯＮＥＴ／ＳＤＨ・片側パスの帯域を６００（Ｍｂｐｓ）ずつ設定して、ＲＰＲスパン帯域管理ＤＢに各設定値を格納する。
【００６４】
ＳＯＮＥＴ／ＳＤＨ・ＵＰＳＲおよびＳＯＮＥＴ／ＳＤＨ・片側パスの帯域を設定した後、実施例２に係る帯域管理装置は、最終的な空き帯域を算出して格納する。例えば、ノードＳ１およびノードＳ２からなる隣接ノード間の空き帯域が２．０（Ｇｂｐｓ）で、ＳＯＮＥＴ／ＳＤＨ・ＵＰＳＲおよびＳＯＮＥＴ／ＳＤＨ・片側パスの帯域がそれぞれ６００（Ｍｂｐｓ）である場合には、最終的な空き帯域は８００（Ｍｂｐｓ）となる。
【００６５】
このようなことから、実施例２に係る帯域管理装置は、伝送路の物理帯域における空き帯域を効率的に利用することが可能である。
【００６６】
［帯域管理装置の構成（実施例２）］
次に、図５を用いて、実施例２に係る帯域管理装置の構成を説明する。実施例２に係る帯域管理装置は、実施例１に係る帯域管理装置と基本的には同様の構成であるが、以下に説明する点が異なる。
【００６７】
すなわち、同図に示すＲＰＲスパン帯域管理ＤＢ１２ｃは、実施例１と同様に、各ノード間（ＲＰＲスパン）の伝送路に設定されたＲＰＲパス帯域などの各帯域を記憶して構成されるが、ノード番号からなるＲＰＲスパン（例えば、Ｓ１〜Ｓ２など）ごとに、物理帯域やＲＰＲパス帯域、物理帯域における空き帯域だけでなく、ＳＯＮＥＴ／ＳＤＨ・ＵＰＳＲ帯域やＳＯＮＥＴ／ＳＤＨ・片側パス帯域を記憶して構成される（図１４参照）。
【００６８】
また、図５に示す通信帯域算出部１３ａは、ＶＬＡＮ情報に基づいてＲＰＲパスごとに通信帯域（ＲＰＲパス用帯域）を算出した後、伝送路の物理帯域における空き帯域を算出する。具体的には、隣接ノード間（すなわち、他のノードを挿むことなく隣接して接続されたノード間、ＲＲＰスパン）の伝送路ごとに、ＲＰＲスパン帯域管理ＤＢ１２ｃから読み出した伝送路の物理帯域とＲＰＲパス用帯域との差を取ることにより、伝送路の物理帯域における空き帯域を算出する。
【００６９】
例えば、ＲＰＲスパン帯域管理ＤＢから読み出した物理帯域の情報とＲＰＲパス用帯域の情報とに基づいて、ノードＳ１およびノードＳ２からなる隣接ノード間の物理帯域が２．５（Ｇｂｐｓ）で、この隣接ノード間のＲＰＲパス帯域が５００（Ｍｂｐｓ）である場合には、伝送路の物理帯域における空き帯域は２．０（Ｇｂｐｓ）となる。
【００７０】
同様に、図５に示す通信帯域算出部１３ａは、図５に示す通信帯域設定部１３ｂによりＳＯＮＥＴ／ＳＤＨ・ＵＰＳＲ（ＳＯＮＥＴパス）や、ＳＯＮＥＴ／ＳＤＨ・片側パス（ＳＯＮＥＴ予備系開放パス）の帯域が設定された後、最終的な空き帯域を算出して格納する（図１４参照）。
【００７１】
例えば、ＲＰＲスパン帯域管理ＤＢから読み出した物理帯域と、ＳＯＮＥＴ／ＳＤＨ・ＵＰＳＲ帯域の情報、およびＳＯＮＥＴ／ＳＤＨ・片側パス帯域の情報とに基づいて、ノードＳ１およびノードＳ２からなる隣接ノード間の空き帯域が２．０（Ｇｂｐｓ）で、ＳＯＮＥＴ／ＳＤＨ・ＵＰＳＲおよびＳＯＮＥＴ／ＳＤＨ・片側パスの帯域がそれぞれ６００（Ｍｂｐｓ）である場合には、最終的な空き帯域は８００（Ｍｂｐｓ）となる。
【００７２】
また、図５に示す通信帯域設定部１３ｂは、図１１に例示するように、通信帯域算出部１３ａにより算出された伝送路の空き帯域に対して、ＳＯＮＥＴ／ＳＤＨ・ＵＰＳＲ（ＳＯＮＥＴパス）や、ＳＯＮＥＴ／ＳＤＨ・片側パス（ＳＯＮＥＴ予備系開放パス）の帯域を設定する。伝送路の空き帯域を効率的に利用する趣旨である。
【００７３】
例えば、ノードＳ１およびノードＳ２からなる隣接ノード間の空き帯域が２．０（Ｇｂｐｓ）である場合に、伝送路の空き帯域に対してＳＯＮＥＴ／ＳＤＨ・ＵＰＳＲおよびＳＯＮＥＴ／ＳＤＨ・片側パスの帯域を６００（Ｍｂｐｓ）ずつ設定して、ＲＰＲスパン帯域管理ＤＢに各設定値を格納する。
【００７４】
［帯域管理装置による処理（実施例２）］
続いて、図１５を用いて、実施例２に係る帯域管理装置による処理を説明する。図１５は、実施例２に係る帯域管理装置の処理の流れを示すフローチャートである。
【００７５】
同図に示すように、ＲＰＲパス用帯域を算出すると（ステップＳ１５０１肯定）、通信帯域算出部１３ａは、伝送路の物理帯域における空き帯域を算出する（ステップＳ１５０２）。
【００７６】
具体的には、隣接ノード間（すなわち、他のノードを挿むことなく隣接して接続されたノード間、ＲＲＰスパン）の伝送路ごとに、ＲＰＲスパン帯域管理ＤＢ１２ｃから読み出した伝送路の物理帯域とＲＰＲパス用帯域との差を取ることにより、伝送路の物理帯域における空き帯域を算出する。
【００７７】
例えば、ＲＰＲスパン帯域管理ＤＢから読み出したノードＳ１およびノードＳ２からなる隣接ノード間の物理帯域が２．５（Ｇｂｐｓ）で、この隣接ノード間のＲＰＲパス帯域が５００（Ｍｂｐｓ）である場合には、伝送路の物理帯域における空き帯域は２．０（Ｇｂｐｓ）となる。
【００７８】
そして、通信帯域設定部１３ｂは、図１１に例示するように、通信帯域算出部１３ａにより算出された伝送路の空き帯域に対して、ＳＯＮＥＴ／ＳＤＨ・ＵＰＳＲ（ＳＯＮＥＴパス）や、ＳＯＮＥＴ／ＳＤＨ・片側パス（ＳＯＮＥＴ予備系開放パス）の帯域を設定する（ステップＳ１５０３）。
【００７９】
例えば、ノードＳ１およびノードＳ２からなる隣接ノード間の空き帯域が２．０（Ｇｂｐｓ）である場合に、伝送路の空き帯域に対してＳＯＮＥＴ／ＳＤＨ・ＵＰＳＲおよびＳＯＮＥＴ／ＳＤＨ・片側パスの帯域を６００（Ｍｂｐｓ）ずつ設定して、ＲＰＲスパン帯域管理ＤＢに各設定値を格納するとともに、最終的な空き帯域を算出して格納する。ＳＯＮＥＴ／ＳＤＨ・ＵＰＳＲおよびＳＯＮＥＴ／ＳＤＨ・片側パスの帯域を６００（Ｍｂｐｓ）ずつ設定すると、最終的な空き帯域は８００（Ｍｂｐｓ）となる。
【００８０】
［実施例２の効果］
上述してきたように、実施例２によれば、第一の通信方式（ＳＯＮＥＴ／ＳＤＨ）に基づいて設定される第一の伝送路（ＳＯＮＥＴ／ＳＤＨパス）と、第二の通信方式（ＲＰＲ）に基づいてノード間に設定される第二の伝送路（ＲＰＲパス）とで同一の物理帯域を分け合ってリングネットワークが構成される場合に、リングネットワークにおける伝送路の物理帯域の情報を予め記憶しておき、隣接ノード間の伝送路ごとに算出した通信帯域の情報に基づいて、物理帯域における空き帯域を算出するとともに、算出された空き帯域に対して第一の伝送路（ＳＯＮＥＴパス）の通信帯域を設定するので、例えば、伝送路の物理帯域における空き帯域にＳＯＮＥＴ／ＳＤＨパスの通信帯域を設定するなどして、空き帯域を効率的に利用することが可能である。
【実施例３】
【００８１】
上記の実施例２では、ＲＰＲパス用帯域として予備用側の送信帯域（予備側帯域）を確保する場合の本発明の適用例を説明したが、本発明はこれに限定されるものではなく、ＲＰＲパス用帯域として予備用側の送信帯域（予備側帯域）を確保しないようにする場合にも同様に本発明を適用することができる。そこで、以下の実施例３では、実施例３の概要および特徴を説明した後に、実施例３による効果を説明する。
【００８２】
実施例３に係る帯域管理装置は、上記の実施例２と同様に、リングネットワークにおけるデータ中継装置（ノード）間の伝送路の通信帯域を管理することを概要とするが、隣接データ中継装置間（隣接ノード間）により最適な通信帯域を設定することができる結果、伝送路の物理帯域をより効率的に活用することが可能である点に主たる特徴がある。
【００８３】
この主たる特徴について具体的に説明すると、実施例３に係る帯域管理装置は、実施例２に係る帯域管理装置と同様に、ノード情報管理ＤＢ（図１７参照）、ＶＬＡＮ管理ＤＢ（図１８参照）およびＲＰＲスパン帯域管理ＤＢ（図１９参照）をあらかじめ備えるが、ノード情報管理ＤＢに設定される情報が異なる。つまり、図１７に示すように、現用側の送信帯域に問題が発生した場合に切り替えるための予備用側の送信帯域を確保しないので、ノード番号ごとにプロテクション（切替）情報として「なし」を記憶する。
【００８４】
そして、実施例３に係る帯域管理装置は、上記の実施例と同様に、図１６に示すように、ＶＬＡＮ情報に基づいてＲＰＲパスごとに通信帯域を算出する。例えば、ＶＬＡＮ管理ＤＢ１２ｂ（図１８参照）から読み出したノードＳ１およびノードＳ２からなる隣接ノード間の送信帯域は、プロテクション情報から予備側帯域は確保しないものと判定されることから、ＲＰＲパス用帯域は現用側帯域の４００（Ｍｂｐｓ）と算出される。
【００８５】
ＶＬＡＮ情報に基づいてＲＰＲパスごとに通信帯域を算出した後、実施例３に係る帯域管理装置は、上記の実施例２において説明したのと同様に、伝送路の物理帯域における空き帯域を算出する。
【００８６】
例えば、ＲＰＲスパン帯域管理ＤＢから読み出したノードＳ１およびノードＳ２からなる隣接ノード間の物理帯域が２．５（Ｇｂｐｓ）で、この隣接ノード間のＲＰＲパス帯域が４００（Ｍｂｐｓ）である場合には、伝送路の物理帯域における空き帯域は２．１（Ｇｂｐｓ）となる。
【００８７】
そして、実施例３に係る帯域管理装置は、図１６に例示するように、算出した伝送路の空き帯域に対してＳＯＮＥＴ／ＳＤＨ・ＵＰＳＲ（ＳＯＮＥＴパス）や、ＳＯＮＥＴ／ＳＤＨ・片側パス（ＳＯＮＥＴ予備系開放パス）の帯域を設定するようにしてもよい。
【００８８】
例えば、ノードＳ１およびノードＳ２からなる隣接ノード間の空き帯域が２．１（Ｇｂｐｓ）である場合に、伝送路の空き帯域に対してＳＯＮＥＴ／ＳＤＨ・ＵＰＳＲおよびＳＯＮＥＴ／ＳＤＨ・片側パスの帯域を６００（Ｍｂｐｓ）ずつ設定して、ＲＰＲスパン帯域管理ＤＢに各設定値を格納するとともに、最終的な空き帯域を算出して格納する。ＳＯＮＥＴ／ＳＤＨ・ＵＰＳＲおよびＳＯＮＥＴ／ＳＤＨ・片側パスの帯域を６００（Ｍｂｐｓ）ずつ設定すると、最終的な空き帯域は９００（Ｍｂｐｓ）となる。
【００８９】
［実施例３の効果］
上述してきたように、実施例３によれば、ＲＰＲパスについて予備用の送信帯域を確保しない場合を考慮して、隣接ノード間ごとにＲＰＲパス帯域を算出ので、隣接ノード間の伝送路について、予備用の通信帯域を確保しない場合についても正確に算出することができ、伝送路ごとにより最適な通信帯域を設定することが可能である。また、隣接ノード間により最適な通信帯域を設定することができる結果、伝送路の物理帯域をより効率的に活用することが可能である。
【実施例４】
【００９０】
さて、これまで本発明の実施例について説明したが、本発明は上述した実施例以外にも、種々の異なる形態にて実施されてよいものである。そこで、以下では、本発明に含まれる他の実施例を説明する。
【００９１】
（１）ＶＬＡＮ情報の更新に応じて帯域を算出および設定
また、上記の実施例において、ＶＬＡＮ管理ＤＢに記憶されているＶＬＡＮ情報が更新された場合には、隣接ノード間の伝送路ごとにＲＰＲパス帯域を改めて算出するとともに、改めて算出された各ＲＰＲパス帯域を隣接ノード間の伝送路の通信帯域として改めて各々設定するようにしてもよい。このようなことから、例えば、伝送路を流れるパケットデータの通信帯域の増加や減少に応じて通信帯域の設定が更新された場合に、隣接ノード間（例えば、他のノードを挿むことなく隣接して接続されたノード間）の各通信帯域を再計算して、伝送路ごとに設定することができる結果、伝送路の物理帯域を効率的に活用することが可能である。
【００９２】
（２）リングネットワークの構成
上記の実施例で説明したように、本発明は単独で構成されるリングネットワークに適用する場合に限られるものではない。そこで、以下では、他のリングネットワーク構成に本発明を適用する場合について説明する。
【００９３】
例えば、図２０に例示するように、リングネットワークがノードを接続装置として上位リングネットワークと接続される場合（サブテンディングリング構成である場合）において、実施例４に係る帯域管理装置は、上記の実施例と同様に、ＳＯＮＥＴ／ＳＤＨを物理レイヤとするとともに、ＲＰＲに基づいてノード間に設定されるＲＰＲパス帯域を管理するため、ノード情報管理ＤＢ（図２１参照）、ＶＬＡＮ管理ＤＢ（図２２参照）およびＲＰＲスパン帯域管理ＤＢ（図２３参照）をあらかじめ備える。ここで、ノード情報管理ＤＢ（図２１参照）には、上位リングネットワークとの接続装置を識別するためのセンタノード情報が記憶され、例えば、ＲＰＲノード番号「Ｓ４」のノードが接続装置である場合には、ＲＰＲノード番号「Ｓ４」に対応するセンタノード情報の項目に「有効」が記憶される。
【００９４】
そして、上記の実施例と同様に、実施例４に係る帯域管理装置は、ＶＬＡＮ設定情報を管理者などから受け付けると、図２０に例示するように、ＶＬＡＮ情報に基づいて隣接ノード間（ＲＰＲスパン）ごとに通信帯域を算出する。また、隣接ノード間の伝送路ごとにＲＰＲパス用帯域を算出した後、算出された各ＲＰＲパス用帯域を隣接ノード間の伝送路のＲＰＲパス用帯域として各々設定するとともに、算出した各ＲＰＲパス用帯域をＲＰＲスパン帯域管理ＤＢに格納して管理する（図２３参照）。
【００９５】
また、パケットデータの受信ＲＰＲノードがセンタノードより先に配置されている場合であっても、ノード情報管理ＤＢに記憶されているセンタノード情報に基づいて、ノード間に伝送されるパケットデータをセンタノードよりに先に受信されないように制御する。
【００９６】
このように、リングネットワークがノードを介して上位リングネットワークと接続される場合に、上位リングネットワークとの接続装置として機能するノードを識別するためのセンタノード情報を記憶しておき、記憶されているセンタノード情報に基づいて、隣接ノード間の伝送路の通信帯域におけるデータ通信を制御するので、リングネットワークがセンタノードを介して上位リングネットワークと接続されるサブテンディングリング構成をとる場合に、ＶＬＡＮごとに設定したパケットデータの送受信ノードを変更することなく、センタノード情報に基づいて、例えば、パケットデータをセンタノードよりに先に受信されないように制御するなど、隣接データ中継装置間の伝送路に設定された通信帯域におけるパケットデータ通信を簡易に制御することが可能である。
【００９７】
また、図２４に例示するように、リングネットワーク１がノードを介して他のリングネットワーク２と接続される場合（マルチリング構成である場合）に、実施例４に係る帯域管理装置は、上記の実施例と同様に、ＳＯＮＥＴ／ＳＤＨを物理レイヤとするとともに、ＲＰＲに基づいてノード間に設定されるＲＰＲパス帯域を管理するため、各リングごとに、ノード情報管理ＤＢ（図２５および図２６参照）、ＶＬＡＮ管理ＤＢ（図２７および図２８参照）およびＲＰＲスパン帯域管理ＤＢ（図２９および図３０参照）をあらかじめ備える。ここで、ノード情報管理ＤＢ（図２５および図２６参照）には、リングネットワークを互いに接続するノードを識別するためのマルチリング接続情報が記憶され、例えば、ＲＰＲノード番号「Ｓ６」のノードがリングネットワークを互いに接続するノードである場合には、ＲＰＲノード番号「Ｓ６」に対応するマルチリング接続情報の項目に「有効」が記憶される。
【００９８】
そして、上記の実施例と同様に、実施例４に係る帯域管理装置は、ＶＬＡＮ設定情報を管理者などから受け付けると、図２４に例示するように、ＶＬＡＮ情報に基づいて隣接ノード間（ＲＰＲスパン）ごとにＲＰＲパス用帯域を算出する。また、隣接ノード間の伝送路ごとにＲＰＲパス用帯域を算出した後、算出された各ＲＰＲパス用帯域を隣接ノード間の伝送路のＲＰＲパス用帯域として各々設定し、算出した各ＲＰＲパス用帯域をＲＰＲスパン帯域管理ＤＢに格納して管理する（図２９および図３０参照）。
【００９９】
また、実施例４に係る帯域管理装置は、隣接ノード間の伝送路ごとにＲＰＲパス用帯域を算出した後、伝送路の物理帯域における空き帯域を算出する。そして、算出された伝送路の空き帯域に対して、ＳＯＮＥＴ／ＳＤＨ・ＵＰＳＲ（ＳＯＮＥＴパス）や、ＳＯＮＥＴ／ＳＤＨ・片側パス（ＳＯＮＥＴ予備系開放パス）の帯域を設定するとともに、最終的な空き帯域を算出して格納する（図２９および図３０参照）。
【０１００】
なお、図２４と異なり、リングネットワークをまたいでＶＬＡＮのＲＰＲパスが設定される場合には、ノード情報管理ＤＢ（図２５および図２６参照）に記憶されているマルチリング情報と、ＶＬＡＮ管理ＤＢ（図２７および図２８参照）に記憶されている通信帯域の情報とに基づいて、リングネットワーク間にまたがる隣接ノード間のＲＰＲパス帯域を各々算出し、上述してきたのと同様に、物理帯域における空き帯域を算出して、算出した空き帯域に対してＳＯＮＥＴパス等の帯域を設定する。
【０１０１】
このように、リングネットワークがノードを介して他のリングネットワークと接続される場合に、リングネットワークを互いに接続するノードを識別するための情報を記憶するとともに、リングネットワーク間をまたいで設定されたＶＬＡＮごとに伝送路に対して設定された通信帯域の情報（ＶＬＡＮ情報）を記憶するとともに、リングネットワークを互いに接続するノードを識別するための情報（マルチリング接続情報）を記憶しておき、記憶されているＶＬＡＮ情報およびマルチリング接続情報に基づいて、リングネットワーク間をノードで接続することにより、リングネットワーク間にまたがる伝送路について隣接ノード間の通信帯域を各々算出するので、リングネットワークがマルチリング構成をとる場合であっても、隣接ノード間の伝送路について通信帯域を正確に算出することができ、伝送路ごとに最適な通信帯域を設定することが可能である。また、隣接ノード間に最適な通信帯域を設定することができる結果、伝送路の物理帯域を効率的に活用することが可能である。
【０１０２】
（３）装置構成等
また、図５に示した帯域管理装置１０の各構成要素は機能概念的なものであり、必ずしも物理的に図示の如く構成されていることを要しない。すなわち、帯域管理装置１０の分散・統合の具体的形態は図示のものに限られず、例えば、通信帯域算出部１３ａと通信帯域設定部１３ｂとを統合するなど、その全部または一部を、各種の負荷や使用状況などに応じて、任意の単位で機能的または物理的に分散・統合して構成することができる。さらに、帯域管理装置１０にて行なわれる各処理機能（通信帯域算出処理機能および通信帯域設定処理機能、例えば、図９および図１５参照）は、その全部または任意の一部が、ＣＰＵおよび当該ＣＰＵにて解析実行されるプログラムにて実現され、あるいは、ワイヤードロジックによるハードウェアとして実現され得る。
【０１０３】
（４）帯域設定プログラム
ところで、上記の実施例で説明した帯域管理装置１０に係る各種の処理（例えば、図９参照）は、あらかじめ用意されたプログラムをパーソナルコンピュータやワークステーションなどのコンピュータシステムで実行することによって実現することができる。そこで、以下では、図３１を用いて、上記の実施例で説明した帯域管理装置１０と同様の機能を有する帯域設定プログラムを実行するコンピュータの一例を説明する。図３１は、帯域設定プログラムを実行するコンピュータを示す図である。
【０１０４】
まず、図３１に示すように、帯域管理装置としてコンピュータ２０は、通信制御Ｉ／Ｆ部２１、ＨＤＤ２２、ＲＡＭ２３、ＲＯＭ２４およびＣＰＵ２５をバス３０で接続して構成される。なお、通信制御Ｉ／Ｆ部２１は、図５に示した帯域管理装置１０の通信制御Ｉ／Ｆ部１１に対応する。
【０１０５】
そして、ＲＯＭ２４には、上記の実施例に示した帯域管理装置１０と同様の機能を発揮する帯域設定プログラム、つまり、図３１に示すように、通信帯域算出プログラム２４ａおよび通信帯域設定プログラム２４ｂがあらかじめ記憶されている。なお、これらのプログラム２４ａおよび２４ｂについては、図５に示した帯域管理装置１０の各構成要素と同様、適宜統合または分散してもよい。なお、ＲＯＭ２４は、不揮発性の「ＲＡＭ」でもよい。
【０１０６】
そして、ＣＰＵ２５が、これらのプログラム２４ａおよび２４ｂをＲＯＭ２４から読み出して実行することで、図３１に示すように、各プログラム２４ａおよび２４ｂは、通信帯域算出プロセス２５ａおよび通信帯域設定プロセス２５ｂとして機能するようになる。なお、各プロセス２５ａおよび２５ｂは、図５に示した帯域管理装置１０の通信帯域算出部１３ａおよび通信帯域設定部１３ｂにそれぞれ対応する。
【０１０７】
また、ＨＤＤ２２には、図３１に示すように、ノード情報管理テーブル２２ａ、ＶＬＡＮ管理テーブル２２ｂおよびＲＰＲスパン帯域管理テーブル２２ｃがそれぞれ設けられる。これらのノード情報管理テーブル２２ａ、ＶＬＡＮ管理テーブル２２ｂおよびＲＰＲスパン帯域管理テーブル２２ｃは、図５に示したノード情報管理ＤＢ１２ａ、ＶＬＡＮ管理ＤＢ１２ｂおよびＲＰＲスパン帯域管理ＤＢ１２ｃにそれぞれ対応する。そして、ＣＰＵ２５は、ノード情報管理テーブル２２ａ、ＶＬＡＮ管理テーブル２２ｂおよびＲＰＲスパン帯域管理テーブル２２ｃから、ノード情報管理データ２３ａ、ＶＬＡＮ管理データ２３ｂおよびＲＰＲスパン帯域管理データ２３ｃをそれぞれ読み出してＲＡＭ２３に格納し、ＲＡＭ２３に格納されたノード情報管理データ２３ａ、ＶＬＡＮ管理データ２３ｂおよびＲＰＲスパン帯域管理データ２３ｃに基づいて処理を実行する。
【０１０８】
なお、上記した各プログラム２４ａおよび２４ｂについては、必ずしも最初からＲＯＭ２４に記憶させておく必要はなく、例えば、コンピュータ２０に挿入されるフレキシブルディスク（ＦＤ）、ＣＤ−ＲＯＭ、ＤＶＤディスク、光磁気ディスク、ＩＣカードなどの「可搬用の物理媒体」、または、コンピュータ２０の内外に備えられるＨＤＤなどの「固定用の物理媒体」、さらには、公衆回線、インターネット、ＬＡＮ、ＷＡＮなどを介してコンピュータ２０に接続される「他のコンピュータ（またはサーバ）」などに各プログラムを記憶させておき、コンピュータ２０がこれらから各プログラムを読み出して実行するようにしてもよい。
【０１０９】
（付記１）リングネットワークにおけるデータ中継装置間の伝送路の通信帯域を管理する帯域管理装置であって、
前記データ中継装置を含むように設定された仮想ネットワークごとに、前記伝送路に対して設定された通信帯域の情報を記憶する仮想ネットワーク管理情報記憶手段と、
前記仮想ネットワーク管理情報記憶手段により記憶されている情報に基づいて、他のデータ中継装置を挿むことなく隣接して接続された隣接データ中継装置間の伝送路ごとに通信帯域を算出する通信帯域算出手段と、
前記通信帯域算出手段により算出された各通信帯域を前記隣接データ中継装置間の伝送路の通信帯域として各々設定する通信帯域設定手段と、
を備えたことを特徴とする帯域管理装置。
【０１１０】
（付記２）前記リングネットワークは、第一の通信方式に基づいて設定される第一の伝送路と、第二の通信方式に基づいて前記データ中継装置間に設定される第二の伝送路とで同一の物理帯域を分け合って構成され、
前記通信帯域算出手段は、前記隣接データ中継装置間の伝送路ごとに算出した通信帯域の情報に基づいて、前記物理帯域における空き帯域を算出し、
前記通信帯域設定手段は、前記通信帯域算出手段により算出された前記空き帯域に対して、前記第一の伝送路の通信帯域を設定することを特徴とする付記１に記載の帯域管理装置。
【０１１１】
（付記３）前記第二の伝送路には、現用系の通信帯域が設定されるとともに予備系の通信帯域が設定され、
前記予備系の通信帯域を設定するか否かに関わる予備帯域設定情報を記憶する予備帯域設定情報記憶手段をさらに備え、
前記通信帯域算出手段は、前記予備帯域設定情報記憶手段により記憶されている前記予備帯域設定情報と、前記仮想ネットワーク管理情報記憶手段により記憶されている前記通信帯域の情報とに基づいて、前記隣接データ中継装置間の伝送路ごとに、現用系および予備系を加算して前記伝送路の通信帯域を算出することを特徴とする付記２に記載の帯域管理装置。
【０１１２】
（付記４）前記リングネットワークは、前記データ中継装置を接続装置として上位リングネットワークと接続され、
前記接続装置として機能するデータ中継装置を識別するための接続装置情報を記憶する接続装置情報記憶手段と、
前記接続装置情報記憶手段により記憶されている前記接続装置情報に基づいて、前記通信帯域設定手段により設定された前記隣接データ中継装置間の伝送路の通信帯域におけるデータ通信を制御するデータ通信制御手段と、
をさらに備えたことを特徴とする付記１に記載の帯域管理装置。
【０１１３】
（付記５）前記リングネットワークは、前記データ中継装置を介して他のリングネットワークと接続され、
リングネットワークを互いに接続するデータ中継装置を識別するための情報を記憶する記憶手段をさらに備え、
前記仮想ネットワーク管理情報記憶手段は、リングネットワーク間をまたいで設定された仮想ネットワークごとに、前記伝送路に対して設定された通信帯域の情報を記憶し、
前記通信帯域設定手段は、前記仮想ネットワーク管理情報記憶手段により記憶されている情報および前記記憶手段に記憶されている情報に基づいて、リングネットワーク間を前記データ中継装置で接続することにより当該リングネットワーク間にまたがる伝送路について、前記隣接データ中継装置間の通信帯域を各々算出することを特徴とする付記１に記載の帯域管理装置。
【０１１４】
（付記６）前記通信帯域算出手段は、前記仮想ネットワーク管理情報記憶手段により記憶されている情報が更新された場合に、前記隣接データ中継装置間の伝送路ごとに通信帯域を改めて算出し、
前記通信帯域設定手段は、前記通信帯域算出手段により改めて算出された各通信帯域を前記隣接データ中継装置間の伝送路の通信帯域として改めて各々設定することを特徴とする付記１に記載の帯域管理装置。
【０１１５】
（付記７）リングネットワークにおけるデータ中継装置間の伝送路の通信帯域を管理する帯域管理方法であって、
前記データ中継装置を含むように設定された仮想ネットワークごとに、前記伝送路に対して設定された通信帯域の情報を記憶部に記憶する仮想ネットワーク管理情報記憶工程と、
前記仮想ネットワーク管理情報記憶工程により記憶部に記憶されている情報に基づいて、他のデータ中継装置を挿むことなく隣接して接続された隣接データ中継装置間の伝送路ごとに通信帯域を算出する通信帯域算出工程と、
前記通信帯域算出工程により算出された各通信帯域を前記隣接データ中継装置間の伝送路の通信帯域として各々設定する通信帯域設定工程と、
を含んだことを特徴とする帯域管理方法。
【０１１６】
（付記８）前記リングネットワークは、第一の通信方式に基づいて設定される第一の伝送路と、第二の通信方式に基づいて前記データ中継装置間に設定される第二の伝送路とで同一の物理帯域を分け合って構成され、
前記通信帯域算出工程は、前記隣接データ中継装置間の伝送路ごとに算出した通信帯域の情報に基づいて、前記物理帯域における空き帯域を算出し、
前記通信帯域設定工程は、前記通信帯域算出工程により算出された前記空き帯域に対して、前記第一の伝送路の通信帯域を設定することを特徴とする付記７に記載の帯域管理方法。
【０１１７】
（付記９）前記第二の伝送路には、現用系の通信帯域が設定されるとともに予備系の通信帯域が設定され、
前記予備系の通信帯域を設定するか否かに関わる予備帯域設定情報を記憶部に記憶する予備帯域設定情報記憶工程をさらに含み、
前記通信帯域算出工程は、前記予備帯域設定情報記憶工程により記憶部に記憶されている前記予備帯域設定情報に基づいて、前記第二の伝送路に予備系の通信帯域が設定されるものと判定された場合には、前記仮想ネットワーク管理情報記憶工程により記憶部に記憶されている前記通信帯域の情報に基づいて、前記隣接データ中継装置間の伝送路ごとに、現用系および予備系を加算して前記伝送路の通信帯域を算出することを特徴とする付記８に記載の帯域管理方法。
【０１１８】
（付記１０）前記リングネットワークは、前記データ中継装置を接続装置として上位リングネットワークと接続され、
前記接続装置として機能するデータ中継装置を識別するための接続装置情報を記憶部に記憶する接続装置情報記憶工程と、
前記接続装置情報記憶工程により記憶部に記憶されている前記接続装置情報に基づいて、前記通信帯域設定工程により設定された前記隣接データ中継装置間の伝送路の通信帯域におけるデータ通信を制御するデータ通信制御工程と、
をさらに含んだことを特徴とする付記７に記載の帯域管理方法。
【０１１９】
（付記１１）前記リングネットワークは、前記データ中継装置を介して他のリングネットワークと接続され、
リングネットワークを互いに接続するデータ中継装置を識別するための情報を記憶部に記憶する記憶工程をさらに含み、
前記仮想ネットワーク管理情報記憶工程は、リングネットワーク間をまたいで設定された仮想ネットワークごとに、前記伝送路に対して設定された通信帯域の情報を記憶部に記憶し、
前記通信帯域設定工程は、前記仮想ネットワーク管理情報記憶工程により記憶部に記憶されている情報および前記記憶工程により記憶部に記憶されている情報に基づいて、リングネットワーク間を前記データ中継装置で接続することにより当該リングネットワーク間にまたがる伝送路について、前記隣接データ中継装置間の通信帯域を各々算出することを特徴とする付記７に記載の帯域管理方法。
【０１２０】
（付記１２）前記通信帯域算出工程は、前記仮想ネットワーク管理情報記憶工程により記憶部に記憶されている情報が更新された場合に、前記隣接データ中継装置間の伝送路ごとに通信帯域を改めて算出し、
前記通信帯域設定工程は、前記通信帯域算出工程により改めて算出された各通信帯域を前記隣接データ中継装置間の伝送路の通信帯域として改めて各々設定することを特徴とする付記７に記載の帯域管理方法。
【０１２１】
（付記１３）リングネットワークにおけるデータ中継装置間の伝送路の通信帯域を管理する方法をコンピュータに実行させる帯域管理プログラムであって、
前記データ中継装置を含むように設定された仮想ネットワークごとに、前記伝送路に対して設定された通信帯域の情報を記憶部に記憶する仮想ネットワーク管理情報記憶手順と、
前記仮想ネットワーク管理情報記憶手順により記憶部に記憶されている情報に基づいて、他のデータ中継装置を挿むことなく隣接して接続された隣接データ中継装置間の伝送路ごとに通信帯域を算出する通信帯域算出手順と、
前記通信帯域算出手順により算出された各通信帯域を前記隣接データ中継装置間の伝送路の通信帯域として各々設定する通信帯域設定手順と、
をコンピュータに実行させることを特徴とする帯域管理プログラム。
【産業上の利用可能性】
【０１２２】
以上のように、本発明に係る帯域管理装置および帯域管理方法は、リングネットワークにおけるデータ中継装置間の伝送路の通信帯域を管理する場合に有用であり、特に、伝送路の物理帯域を効率的に活用することに適する。
【図面の簡単な説明】
【０１２３】
【図１】実施例１に係る帯域管理装置の概要および特徴を説明するための図である。
【図２】実施例１の特徴を説明するための図である。
【図３】実施例１に係るＶＬＡＮ管理ＤＢの構成例を示す図である。
【図４】実施例１に係るＲＰＲパス帯域の算出例を示す図である。
【図５】実施例１に係る帯域管理装置の構成を示すブロック図である。
【図６】実施例１に係るノード情報管理ＤＢの構成例を示す図である。
【図７】実施例１に係るＶＬＡＮ管理ＤＢの構成例を示す図である。
【図８】実施例１に係るＲＰＲスパン帯域管理ＤＢの構成例を示す図である。
【図９】実施例１に係る帯域管理装置の処理の流れを示すフローチャートである。
【図１０】実施例２の概要および特徴を説明するための図である。
【図１１】実施例２の特徴を示す概念図である。
【図１２】実施例２に係るノード情報管理ＤＢの構成例を示す図である。
【図１３】実施例２に係るＶＬＡＮ管理ＤＢの構成例を示す図である。
【図１４】実施例２に係るＲＰＲスパン帯域管理ＤＢの構成例を示す図である。
【図１５】実施例２に係る帯域管理装置の処理の流れを示すフローチャートである。
【図１６】実施例３の概要および特徴を説明するための図である。
【図１７】実施例３に係るノード情報管理ＤＢの構成例を示す図である。
【図１８】実施例３に係るＶＬＡＮ管理ＤＢの構成例を示す図である。
【図１９】実施例３に係るＲＰＲスパン帯域管理ＤＢの構成例を示す図である。
【図２０】実施例４の概要および特徴を説明するための図である。
【図２１】実施例４に係るノード情報管理ＤＢの構成例を示す図である。
【図２２】実施例４に係るＶＬＡＮ管理ＤＢの構成例を示す図である。
【図２３】実施例４に係るＲＰＲスパン帯域管理ＤＢの構成例を示す図である。
【図２４】実施例４の概要および特徴を説明するための図である。
【図２５】実施例４に係るノード情報管理ＤＢ（リング１）の構成例を示す図である。
【図２６】実施例４に係るノード情報管理ＤＢ（リング２）の構成例を示す図である。
【図２７】実施例４に係るＶＬＡＮ管理ＤＢ（リング１）の構成例を示す図である。
【図２８】実施例４に係るＶＬＡＮ管理ＤＢ（リング２）の構成例を示す図である。
【図２９】実施例４に係るＲＰＲスパン帯域管理ＤＢ（リング１）の構成例を示す図である。
【図３０】実施例４に係るＲＰＲスパン帯域管理ＤＢ（リング２）の構成例を示す図である。
【図３１】帯域設定プログラムを実行するコンピュータを示す図である。
【符号の説明】
【０１２４】
１０  帯域管理装置
１１  通信制御Ｉ／Ｆ部
１２  記憶部
１２ａ  ノード情報管理ＤＢ
１２ｂ  ＶＬＡＮ管理ＤＢ
１２ｃ  ＲＰＲスパン帯域管理ＤＢ
１３  制御部
１３ａ  通信帯域算出部
１３ｂ  通信帯域設定部
２０  コンピュータ
２１  通信制御Ｉ／Ｆ部
２２  ＨＤＤ（Hard Disk Drive）
２３  ＲＡＭ（Random Access Memory）
２４  ＲＯＭ（Read Only Memory）
２５  ＣＰＵ（Central Processing Unit）
３０  バス
【図１】
2008167070.tif 000003
【図２】
2008167070.tif 000004
【図３】
2008167070.tif 000005
【図４】
2008167070.tif 000006
【図５】
2008167070.tif 000007
【図６】
2008167070.tif 000008
【図７】
2008167070.tif 000009
【図８】
2008167070.tif 000010
【図９】
2008167070.tif 000011
【図１０】
2008167070.tif 000012
【図１１】
2008167070.tif 000013
【図１２】
2008167070.tif 000014
【図１３】
2008167070.tif 000015
【図１４】
2008167070.tif 000016
【図１５】
2008167070.tif 000017
【図１６】
2008167070.tif 000018
【図１７】
2008167070.tif 000019
【図１８】
2008167070.tif 000020
【図１９】
2008167070.tif 000021
【図２０】
2008167070.tif 000022
【図２１】
2008167070.tif 000023
【図２２】
2008167070.tif 000024
【図２３】
2008167070.tif 000025
【図２４】
2008167070.tif 000026
【図２５】
2008167070.tif 000027
【図２６】
2008167070.tif 000028
【図２７】
2008167070.tif 000029
【図２８】
2008167070.tif 000030
【図２９】
2008167070.tif 000031
【図３０】
2008167070.tif 000032
【図３１】
2008167070.tif 000033